(57)【要約】【課題】Ｕ型リブを用いる合成床版では、Ｕ型リブの側面をループ鉄筋によって連結するので、Ｕ型リブよりも高い上方部分では、有効なずれ止め作用を発揮できないという問題があるため、樋形リブの上面に適切なずれ止手段を設けて、樋形リブよりも高い部分に、コンクリートとの合成を有効に発揮できる合成リブ床版を提供する。【解決手段】床鋼板１上に複数本の樋形リブ２が橋軸方向に沿って配列され、リブ上面にはコンクリート導入孔５とジベル挿入孔６を開設して、このジベル挿入孔６を通して、下端部７ｂをコンクリートの充填される樋形リブ２内に縦向きに貫入することで、上端部７ａがリブ上方へ突出するようなジベル７を設け、このジベル上端部を樋形リブの上面に配列された床版主鉄筋８ｂに固定する。【選択図】  図１
2005002637.tif 000002
【特許請求の範囲】
【請求項１】
床鋼板の上に、複数本の樋形リブが、中央の接続辺を上面とした向きで平行に配列されて、それぞれリブの両側辺が床鋼板に溶接されている合成リブ床版において、リブ上面にはコンクリート導入孔とは別にジベル挿入孔が開設されて、このジベル挿入孔内に、下端部が樋形リブ内の断面を横切るように縦向きに貫入され、上端部がリブの上面に突出するような長さをもったジベルを挿入して、このジベル上端部が、樋形リブの上面に配列された床版主鉄筋に支持固定されていることを特徴とする合成リブ床版。
【請求項２】
ジベルが、金属棒の中央部をＵ字形に折り曲げることで、Ｕ字状上端部と、一対の棒状両側下端部とを有している請求項１に記載の合成リブ床版。
【請求項３】
複数本の樋形リブを橋軸方向に沿って配列して、これらの樋形リブに主桁としての機能を保持させている請求項１に記載の合成リブ床版。
【発明の詳細な説明】
【０００１】
【発明の属する技術分野】
本発明は、橋梁などのコンクリート床版を構造するための手段として、予め床となる鋼板の上にリブ、鉄筋などのジベル材を取付けておき、現場でこの床鋼板の上にコンクリートを打設することで、鋼とコンクリートとを一体化させる合成床版の改良に関するものである。
【０００２】
【従来の技術】
従来におけるこの種の合成床版としては、各種の構造のものが提唱されており、そのうち、床となる鋼板の上に設けられるずれ止め材としては、Ｕ型リブを中央の接続辺が上面となるような逆向きで、平行に配列し、これらのＵ型リブを、互いにリブの側面に串刺し状に貫通させたループ鉄筋によって一体に連結させた構造を特徴とするものが、例えば特許文献１，特許文献２，特許文献３などにより知られている。
【０００３】
【特許文献１】
特開平１１−１９２６１３号公報（図１〜図３）
【特許文献２】
特開２０００−１９３９号公報（図１〜図６）
【特許文献３】
特開２０００−３８７９６号公報（図１〜図１２）
【０００４】
【発明が解決すべき課題】
上記の合成床版は、いずれも逆向きにしたＵ型リブを平行に配列して、これらのＵ型リブを、互いにリブの側面に串刺し状に貫通させたループ鉄筋によって一体に連結させる構造を特徴とするので、それぞれの合成床版を連続的に接合する場合に、一方の合成床版からと突出するループ鉄筋の長さを、鋼床版の辺縁よりも外側方向へ突出するように大きくしておけば、この突出するループ鉄筋と隣接する鋼床版上のループ鉄筋との重なり合う面積が大きくなり、合成床版の接合部における強度を向上できるという利点を有する。
【０００５】
しかしながら、これらの合成床版の構造では、平行に配列されるＵ型リブの側面を、リブの長さ方向と直交するような向きに貫通させたループ鉄筋によって、一体に連結する構造であるため、それぞれのループ鉄筋は、床鋼板上におけるＵ型リブの側面と同等かもしくは低い位置に配列され、Ｕ型リブの側面と同じ高さより下側の部分では、コンクリートに対するずれ止め作用を発揮するが、Ｕ型リブの側面よりも高い部分では、コンクリートに対するずれ止め手段が存在しないために有効なずれ止め作用を発揮できず、適切な版厚のコンクリート床版を合成することができないという問題を有している。
【０００６】
【課題を解決するための手段】
本発明は、従来のＵ型リブを用いた合成床版の、上記のような問題点を解決するための手段として、床鋼板上に配列される樋形リブ（トラフリブ）の剛性を有効に利用しつつ、樋形リブの上面よりも上方に、樋形リブと一体に構成されるずれ止手段を設けることにより、樋形リブの上面よりも高い部分に、ずれ止め作用が適切でコンクリートとの合成作用を有効に発揮できる、適切な版厚のコンクリート床版を設けることのできる合成リブ床版の提供を目的としたものである。
【０００７】
本発明に係る合成リブ床版は、そのための具体的手段として、床鋼板の上に、複数本の樋形リブが、中央の接続辺を上面とした向きで平行に配列されて、それぞれリブの両側辺が床鋼板に溶接されている合成リブ床版において、リブ上面にはコンクリート導入孔とは別にジベル挿入孔が開設されて、このジベル挿入孔内に、下端部が樋形リブ内の断面を横切るように縦向きに貫入され、上端部がリブの上面に突出するような長さをもったジベルを挿入して、このジベル上端部が、樋形リブの上面に配列された床版主鉄筋に支持固定されていることを特徴とするものである。
【０００８】
樋形リブの上面に設けられるジベルとしては、金属棒の中央部をＵ字形に折り曲げることで、Ｕ字状上端部と、一対の棒状両側下端部とを有している形状であることが好ましい。
【０００９】
また、複数本の樋形リブをいずれも橋軸方向に沿って配列させて、これらの樋形リブが、主桁としての機能を発揮できるような合成床版橋として活用してもよい。
【００１０】
【発明の実施の形態】
次に、本発明に係る合成リブ床版を、図面に示す実施例について説明すると、図１はこの合成リブ床版の構造を示す斜視図であり、床鋼板１の上に、複数本の樋形リブ２が、中央の接続辺を上面３とした向きで、間隔をおいて平行に配列され、それぞれ樋形リブ２の両側辺４の端縁が床鋼板１に溶接固定されている。
【００１１】
この発明の１つの実施例では、床鋼板１はその大きさとして、例えば、架設される橋梁の長さと等しい長さを有しており、この床鋼板１の上に複数本の樋形リブ２が、橋軸方向に沿って所定の間隔をおいて平行に配列されている。また、別の実施例としては、床鋼板１を汎用の合成床版に使用されるものと同じ程度の大きさとし、樋形リブ２を橋軸方向と直角な向きに配列して、汎用の合成床版の一種として使用するものとしてもよい。
【００１２】
さらに、樋形リブ２は、上面３にコンクリートを樋形リブ２内に導入するためのコンクリート導入孔５が間隔をおいて設けられているとともに、これらのコンクリート導入孔５とは別に、左右一対のジベル挿入孔６が設けられていて、これらのジベル導入孔６を介して、リブ上面３の上にジベル７が突出するように構成されている。
【００１３】
前記ジベル７は、金属棒の中央部をＵ字形に折り曲げることで、Ｕ字状上端部７ａと一対の棒状両端下端部７ｂとを有しており、下端部７ｂを、ジベル挿入孔６を通して樋形リブ２内へ床鋼板１に達する深さまで縦向きに挿入することで、樋形リブ２の上面にＵ字状上端部７ａが突出するように設けられている。
【００１４】
前記ジベル７は、この合成床版が現場に運ばれて、図４のように、橋台１０上に架設支持された時に、それぞれ樋形リブ２のジベル挿入孔６内に挿入される。また、その時、図３のように、樋形リブ２の上面３上に、樋形リブ２と直交する向きに下部床版主鉄筋８ａと上部床版主鉄筋８ｂとが配列されるとともに、樋形リブ２と平行な向きに下部床版配力鉄筋９ａと、上部床版配力鉄筋９ｂとが配列され、それぞれの鉄筋が、図示しない支持手段を介して、床鋼板１の表面における所定の高さ位置に支持固定されている。
【００１５】
このようにして配列された各鉄筋は、下部床版主鉄筋８ａと下部床版配力鉄筋９ａとが、また、上部床版主鉄筋８ｂと上部床版配力鉄筋９ｂとがそれぞれの交差部で番線により結束固定されるとともに、樋形リブ２の上面３上に突出したジベル上端部７ａが、樋形リブ２と直交する向きに配列された上部床版主鉄筋８ｂおよび下部床版主鉄筋８ａに番線で結束支持されている。
【００１６】
樋形リブ２の上に鉄筋８ａ、８ｂ、９ａ、９ｂが配列された後、床鋼板１上にコンクリート１１が打設されるが、その際、樋形リブ２の上面３のコンクリート導入孔５を通して樋形リブ２内にもコンクリート１１を充填させ、ジベル下端部７ｂをコンクリート１１によりしっかりと樋形リブ２内に固定して、樋形リブ２の上方部分に、ジベル上端部７ａによるコンクリート１１のずれ止め作用が適切に発揮できるようにする。
【００１７】
【発明の効果】
この発明の合成リブ床版では、樋形リブの上面に、下端部が樋形リブ内の断面を横切るように縦向きに貫入され、上端部がリブの上面に突出するような十分な長さをもったジベルを突設して、樋形リブ内に充填されるコンクリートにより、ジベルを樋形リブ内に固定するので、樋形リブに対するジベルの固定を確実にして、樋形リブの上方部分に強力なずれ止め作用を発揮するジベル材を設けることができ、その結果、樋形リブと床版コンクリートとの結合を強固なものとし、樋形リブの上面よりも高い部分に、コンクリートとの合成作用が有効に発揮できる、適切な版厚のコンクリート床版を設定することができる。
【００１８】
また、樋形リブ内には上面の導入孔を通してコンクリートが充填されるが、樋形リブの側面には、内部に充填されたコンクリートの流出を許すような孔が設けられていないので、コンクリートが逆台形の樋形リブ閉断面内に拘束されことによって、通常設計に考慮されない引張領域のコンクリートが寄与し、単にコンクリートを床版上に流し込んだものに比較して、余剰耐力を著しく増大することができる。
【００１９】
その結果、樋形リブが床鋼板の強度を向上するので、通常の合成床版の一種としての用途の外に、樋形リブを主桁として利用して、主桁と床版とが一体化された橋梁部材として使用すること、つまり、図４のように、この合成床版を、橋長１０〜２５ｍ程度の比較的短い橋梁の架設部材として、この合成リブ床板を主桁上に架設するのではなく、直接橋台間に支持させて、樋形リブに主桁としての機能を保持させ、合成リブ床板のみで橋梁を架設できる合成床版橋とすることができる。
【図面の簡単な説明】
【図１】本発明に係る合成リブ床版の構造を示す部分斜視図。
【図２】樋形リブ部分の詳細な構造を説明する斜視図。
【図３】樋形リブと鉄筋との構成を示す部分断面図。
【図４】本発明の合成リブ床版が架設された状態の側面図。
【符号の説明】
１：床鋼板、
２：樋形リブ、
３：リブ上面、
４：両側辺、
５：コンクリート導入孔、
６：ジベル挿入孔、
７：ジベル、
７ａ：Ｕ字状上端部、
７ｂ：下端部、
８ａ：下部床版主鉄筋、
８ｂ：上部床版主鉄筋、
９ａ：下部床版配力鉄筋、
９ｂ：上部床版配力鉄筋、
１０：橋台、
１１：コンクリート、
【図１】
2005002637.tif 000003
【図２】
2005002637.tif 000004
【図３】
2005002637.tif 000005
【図４】
2005002637.tif 000006